(57)【要約】      （修正有）【課題】デッキプレートの鉄板にアンカー用の穴をあけることができる優れた工具を提供する。【解決手段】頭部１に超硬合金６を使用したセンター錐４と切断刃５を配したビットでハンマードリルにセットして使用するデッキプレート用ビットを実現する。【選択図】図３
2020062739.tif 000002
【特許請求の範囲】
【請求項１】
円柱形のシャフト（２）の一方の端にセンター錐（４）と切断刃（５）を配した頭部（１）を設け、他の一方の端にシャンク（３）を設けたビットで、頭部（１）の中心にセンター錐（４）を配し、頭部（１）の外側に切断刃（５）を配し、センター錐（４）の長さを切断刃（５）の先端より３．０ｍｍ〜５．０ｍｍ長くし（８）、切断刃（５）の刃角を内角（７）で２５°〜３５°としたデッキプレート用ビット。
【発明の詳細な説明】
【技術分野】
【０００１】  本発明はデッキプレートの穿孔作業に用いる工具に関するものである。
【背景技術】
【０００２】  従来デッキプレートにアンカー用の穴をあける工具としてはコンクリート用ビットを使用することがほとんどであり効率さに物足りないものがあった。
【先行技術分献】
【特許文献】
特開  ２０１６−７９６６３
【発明の概要】
【発明が解決しようとする課題】
【０００３】  デッキプレートにアンカー用の穴をあける場合コンクリート用ビットを使用することがほとんどであるが、コンクリート用ビットでは鉄板部分の穿孔に時間がかかり、時間がかかると刃先が摩擦で高温になり摩耗が激しく穿孔能力が急激に落ち、後のコンクリート部分の穿孔にも影響がある。【０００４】  デッキプレートの鉄板部分の穿孔に鉄錐や鉄板用ホールソーがあるが、これらは鉄板貫通後にコンクリート部分に刃先が当たることにより刃先が摩耗して能力が急激に落ちることから使用に不向きである。【０００５】  〔０００３〕、〔０００４〕に記載した理由からデッキプレートにアンカー用の穴をあける場合には、後述する本発明のデッキプレート用ビットを使用することが最適と思われる。
【課題を解決するための手段】
【０００６】  円柱形のシャフト（２）の一方の端にセンター錐（４）と切断刃（５）を配した頭部（１）を設け、他の一方の端にシャンク（３）を設けたビットで、頭部（１）の中心にセンター錐（４）を配し、頭部（１）の外側に切断刃（５）を配し、センター錐（４）の長さを切断刃（５）の先端より３．０ｍｍ〜５．０ｍｍ長くし（８）、切断刃（５）の刃角を内角（７）で２５°〜３５°としたデッキプレート用ビットを実現する。
【発明の効果】
【０００７】  上述したように本発明のデッキプレート用ビットは、頭部（１）にセンター錐（４）と２枚の切断刃（５）を配したシンプルな構造のため使用後の刃の手入れも楽である。また、センター錐（４）と切断刃（５）に超硬合金（６）を使用しているため、デッキプレートの鉄板部分の穿孔後コンクリート部分に刃先が接触しても刃先の摩耗が少なく能力が低下しにくい構造であるため効率がよくまた経済的である。
【図面の簡単な説明】
【０００８】
【図１】  本発明の実施形態を示すデッキプレート用ビットの正面図
【図２】  同デッキプレート用ビットの側面図
【図３】  同デッキプレート用ビット頭部正面の拡大断面図
【図４】  同デッキプレート用ビット頭部側面の拡大断面図
【発明を実施する形態】
【０００９】  以下本発明の実施の形態を説明する。
【００１０】  デッキプレートにアンカー用穴を穿孔する方法として最適なものは本発明のデッキプレート用ビットをハンマードリルに装着して回転力と打撃力で鉄板部分の穿孔を行い、次にコンクリート用ビットにてコンクリート部分の穿孔を行う。２種類のビットを使用する方法は面倒のようであるが、コンクリート用ビットのみでデッキプレートの鉄板部分とコンクリート部分の両方を穿孔するよりも結果的に作業時間が短縮になり、またコンクリート用ビットの刃先の摩耗も防げる。
【００１１】  本発明のデッキプレート用ビットはビット頭部に配したセンター錐と切断刃に超硬合金を使用しており長期の使用に耐えられる構造であるが、超硬合金といえども使用回数が多くなれば刃先が摩耗し能力が落ちるのでダイヤモンド砥石で刃の修正をすることが必須である。
【００１２】  本発明のデッキプレート用ビットの径は同時に使用するコンクリート用ビット径より０．５ｍｍ〜１．０ｍｍ大きいものとする。
【付号の説明】
【００１３】  １  頭部
２  シャフト
３  シャンク
４  センター錐
５  切断刃
６  超硬合金
７  切断刃の内角
８  センター錐の長さ
【図１】
2020062739.tif 000003
【図２】
2020062739.tif 000004
【図３】
2020062739.tif 000005
【図４】
2020062739.tif 000006
【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
円柱形のシャフト（２）の一方の端にセンター錐（４）と切断刃（５）を配した頭部（１）を設け、他の一方の端にシャンク（３）を設けたビットで、頭部（１）の中心にセンター錐（４）を配し、頭部（１）の外側に切断刃（５）を配し、センター錐（４）の長さを切断刃（５）の先端より３．０ｍｍ〜５．０ｍｍ長くし（８）、切断刃（５）の刃角を内角（７）で２５°〜３５°とし、センター錐（４）と切断刃（５）に超硬合金（６）を配して、コンクリートを打ち込んだ後のデッキプレートの鉄板部分を下方から穿孔する目的でハンマードリルに装着し、打撃力と回転力の両方を利用して使用するデッキプレート用ビット。
【手続補正２】
【補正対象書類名】明細書
【補正対象項目名】０００２
【補正方法】変更
【補正の内容】
【０００２】  従来コンクリートを打ち込んだ後のデッキプレートにアンカー用の穴をあける工具としては、コンクリート用ビットを使用することがほとんどであり、効率さにもの足りないものがあった。
【手続補正３】
【補正対象書類名】明細書
【補正対象項目名】０００３
【補正方法】変更
【補正の内容】
【０００３】  コンクリートを打ち込んだ後のデッキプレートにアンカー用の穴をあける場合、コンクリート用ビットを使用することがほとんどであるが、コンクリート用ビットでは鉄板部分の穿孔に時間がかかり、時間がかかると刃先が摩擦で高温になり摩耗が激しく穿孔能力が急激に落ち、後のコンクリート部分の穿孔にも影響がある。
【手続補正４】
【補正対象書類名】明細書
【補正対象項目名】０００４
【補正方法】変更
【補正の内容】
【０００４】  コンクリートを打ち込んだ後のデッキプレートの鉄板部分の穿孔に鉄錐や鉄板用ホールソーがあるが、これらは鉄板貫通後にコンクリート部分に刃先が当たることにより刃先が摩耗して能力が急激に落ちることから使用に不向きである。
【手続補正５】
【補正対象書類名】明細書
【補正対象項目名】０００５
【補正方法】変更
【補正の内容】
【０００５】  〔０００３〕、〔０００４〕に記載した理由からコンクリートを打ち込んだ後のデッキプレートにアンカー用の穴をあける場合には、後述する本発明のデッキプレート用ビットを使用することが最適と思われる。
【手続補正６】
【補正対象書類名】明細書
【補正対象項目名】０００６
【補正方法】変更
【補正の内容】
【０００６】    円柱形のシャフト（２）の一方の端にセンター錐（４）と切断刃（５）を配した頭部（１）を設け、他の一方の端にシャンク（３）を設けたビットで、頭部（１）の中心にセンター錐（４）を配し、頭部（１）の外側に切断刃（５）を配し、センター錐（４）の長さを切断刃（５）の先端より３．０ｍｍ〜５．０ｍｍ長くし（８）、切断刃（５）の刃角を内角（７）で２５°〜３５°とし、センター錐（４）と切断刃（５）に超硬合企（６）を配して、コンクリートを打ち込んだ後のデッキプレートの鉄板部分を下方から穿孔する目的でハンマードリルに装着し、打撃力と回転力の両方を利用して使用するデッキプレート用ビットを実現する。